(57)【要約】【課題】      錠機能付の陳列ケースにディスクの収納ケースを入れて陳列し、貸し出しに際しショップに陳列ケースが残らないようにする。【解決手段】  底壁と、この底壁の各辺縁から上記底壁の裏面方向に突出する周壁３２とで構成した箱体３３と、この箱体の開口を開閉するように上記箱体の一辺に適宜のヒンジ３４を介して設けた蓋体３５とで陳列ケースＫを形成し、この陳列ケースにショップ側以外による解錠ができないと共に、ショップ側による解錠にともない施錠部品を回収することができるような適宜の錠装置Ｂを設け、またディスクを収納した箱体と、この箱体の両側壁端に両側壁端をピンを介し回動自在に取付けて前記箱体の開口を開閉する蓋体５４とで収納ケースＡを形成し、上記陳列ケースの箱体に収納ケースの箱体を、陳列ケースの蓋体に収納ケースの蓋体を前記ヒンジ及びヒンジのピンが並列する近傍位置になるように嵌め込んで使用する。【選択図】    図３
2006052011.tif 000002
【特許請求の範囲】
【請求項１】
底壁と、この底壁の各辺縁から上記底壁の裏面方向に突出する周壁とで構成した箱体と、この箱体の開口を開閉するように上記箱体の一辺に適宜のヒンジを介して設けた蓋体とで陳列ケースを形成し、この陳列ケースにショップ側以外による解錠ができないと共に、ショップ側による解錠にともない施錠部品を回収することができるような適宜の錠装置を設け、またディスクなどの商品を収納した箱体と、この箱体の両側壁端に両側壁端をピンを介し回動自在に取付けて前記箱体の開口を開閉する蓋体とで収納ケースを形成し、上記陳列ケースの箱体に収納ケースの箱体を、陳列ケースの蓋体に収納ケースの蓋体を前記ヒンジ及びヒンジのピンが並列する近傍位置になるように嵌め込んだことを特徴とするレンタル用盗難防止対象物。
【請求項２】
前記陳列ケースの箱体に、収納ケースの箱体のピンヒンジ側辺の脱出方向の移動を止める移動防止手段を設けたことを特徴とする請求項１に記載のレンタル用盗難防止対象物。
【請求項３】
底壁と、この底壁の各辺縁から上記底壁の裏面方向に突出する周壁とで構成した箱体と、この箱体の開口を開閉するように上記箱体の一辺に適宜のヒンジを介し設けた蓋体とで陳列ケースを形成し、この陳列ケースの辺にショップ側以外による解錠ができないと共に、ショップ側による解錠にともない施錠部品を回収することができるような適宜の錠装置を設け、またディスクなどの商品を収納した箱体と、この箱体の開口を開閉するように前記箱体の一辺にハーフカットのヒンジを介し設けた蓋体とで収納ケースを形成し、上記陳列ケースの箱体に収納ケースの箱体を、上記陳列ケースの蓋体に収納ケースの蓋体を前記両ヒンジが並列する近傍位置になるように嵌め込んだことを特徴とするレンタル用盗難防止対象物。
【請求項４】
前記陳列ケースの箱体に収納ケースの箱体の脱出を止める係止手段を設けたことを特徴とする請求項３に記載のレンタル用盗難防止対象物。
【請求項５】
底壁と、この底壁の一辺縁以外の辺縁から連なって上記底壁の裏面方向に突出する周壁とで構成した箱体と、蓋壁と、この蓋壁の一辺縁以外の辺縁から連なって上記蓋壁の裏面方向に突出する周壁とで構成した蓋体と、上記箱体の底壁及び蓋体の蓋壁の周壁が存在しない辺縁にヒンジを介し接続した連結壁とで陳列ケースを形成し、この陳列ケースにショップ側以外による解錠ができないと共に、ショップ側による解錠にともない施錠部品を回収することができるような適宜の錠装置を設け、またディスクなどの商品を収納した箱体と、この箱体の開口を開閉するように上記箱体の一辺にヒンジを介し設けた蓋体とで収納ケースを形成し、上記陳列ケースの箱体に収納ケースの箱体を両ヒンジが並列する近傍位置になるように嵌め込むと共に、上記陳列ケースの箱体に対し収納ケースの箱体を移動止め手段を介し上記周壁の存在しない方向にスライドしないようにしたことを特徴とするレンタル用盗難防止対象物。
【請求項６】
前記施錠部品に盗難防止タグを設けたことを特徴とする請求項１、３又は５に記載のレンタル用盗難防止対象物。
【請求項７】
前記陳列ケースの周囲所定位置に嵌め込む指先を押し付け或いは引っかけて上記陳列ケースを開放する切欠部を設けたことを特徴とする請求項１、３又は５に記載のレンタル用盗難防止対象物。
【請求項８】
側面に出し入れ用の開口を有する箱体と、この箱体の周囲下辺側にヒンジを介し上記開口を開閉するように設けた蓋体と、この蓋体及び上記箱体の周囲上辺側にショップ以外による解錠ができないと共に、解錠にともなう施錠部品をショップに回収するように設けた錠装置とで陳列ケースを形成し、またディスクなどの商品を収納した箱体と、この箱体の周囲片方の垂直辺側にヒンジを介し前記箱体の開口を開閉する蓋体とで収納ケースを形成し、上記陳列ケースの箱体に上記収納ケースの開閉支点線が垂直になるようにして前記収納ケースの箱体を嵌め込んだことを特徴とするレンタル用盗難防止対象物。
【請求項９】
前記陳列ケースの箱体の周壁の所要位置に開口から内方に向く指先の嵌り込み欠除部を設けたことを特徴とする請求項８に記載のレンタル用盗難防止対象物。
【請求項１０】
前記陳列ケースの周囲下辺側に蓋体の開放状況下に収納ケースの滑落防止手段を設けたことを特徴とする請求項８に記載のレンタル用盗難防止対象物。
【請求項１１】
前記施錠部品に盗難防止タグを設けたことを特徴とする請求項８に記載のレンタル用盗難防止対象物。
【発明の詳細な説明】
【技術分野】
【０００１】
この発明は、メーカーの収納ケースに収納してある商品の音楽や映像を記録してあるディスクが盗難に遭うのを防止するレンタル用盗難防止対象物に関する。
【背景技術】
【０００２】
ショップにメーカーから出荷されたディスクの収納ケース（収納用トレイ）を陳列すると、収納ケースを開放して収納ディスクの取り出しが容易になるので、ディスクの盗難に遭う。
【０００３】
そこで、透明な合成樹脂製の袋により上記ディスクの収納ケースを包装して陳列する（特許文献１）。
【０００４】
しかしながら、容易に袋を開放或いは破ることができるので、ディスクの盗難に遭う。
【０００５】
そこで、陳列時の収納ケース（ディスクを収納した収納用トレイ）からディスクの盗難を防止する目的で、ショップ側の陳列ケースに特許文献１のディスク収納トレイを収納したものがある。
【０００６】
上記の陳列ケースとディスク収納ケース（収納用トレイ）との組み合わせ方式は、図３４から図３８に示すように、中間に二つ折り屈曲部１を有するシート２と、このシート２の裏面片方（端縁と屈曲部１との間）に重ねて接着により固定したトレイ本体３とで収納ケース４（収納用トレイ）を形成し、トレイ本体３の収納凹部５に収納したディスク６を、シート２のもう片方で被うようにしてある。
【０００７】
収納ケース４を収納する陳列ケース７は、底壁８と、この底壁８の両側縁から連なって底壁の裏面方向に突出する側壁９、９とで形成した箱体１０と、底壁８の片方端縁にハーフカットのヒンジ１１を介し屈曲自在に連なる端壁１２と、この端壁１２にハーフカットのヒンジ１３を介し屈曲自在に連なる蓋壁１４と、この蓋壁１４の両側縁から連なって蓋壁１４の裏面方向に突出すると共に、側壁９の外側に被さる側壁１５、１５とで形成した蓋体１６とで構成されている。
【０００８】
そして、図３５に示すように箱体１０には、シート２の片方と共にトレイ本体３が嵌め込まれ、蓋体１６には、シート２のもう片方が嵌め込まれる。
【０００９】
その際、側壁９、９の開放縁から連なる屈曲自在な抱き込み片１７によってトレイ本体３の表面側縁を抱き込んで、箱体１０に対するトレイ本体３の納まりの安定化をはかり、また蓋壁１４の側縁にコ字状の切り込みを入れて、この切り込み１８の内側の押え込み片１９の裏側にシート２の側縁を差し込んでシート２を保持している。
【００１０】
そして、図３７に示すように陳列ケース７の閉鎖後に底壁８と蓋壁１４との合致した端縁から内方に板状体２０を挿入しながら、この板状体２０の両側縁の閂材２１を、箱体８と蓋体１６との側壁９、９、１５、１５の内側面に突出させて設けてある櫛歯状で、かつ噛み合い状に嵌り込んで直列状に並ぶ閂挿通部２２に貫通させることで陳列ケース７の閉鎖維持をはかる。
【００１１】
上記閉鎖維持の状況下に陳列ケース７の内面掛止部２３に板状体２０の掛止爪２４が掛合して、板状体２０の引き抜きを阻止するようになっている。
【００１２】
なお、ショップ側の解除具（図示省略）のピンを掛止部２３に貫通する透孔２６に嵌入して、ピンの先端により掛止爪２４を押し戻しながら、掛止部２３から掛止爪２４を脱出させて掛合関係を解除することで、板状体２０を引き抜くことが可能になっている。
【００１３】
【特許文献１】特開平７−２５７６７５号公報
【発明の開示】
【発明が解決しようとする課題】
【００１４】
ところで、収納ケースと陳列ケースとを組み合わせた構造のものは、陳列ケースの箱体に対する収納ケースの片方のシート及び重ね合わさったトレイ本体の脱出防止を抱き込み片によって行なうようになっているので、抱き込み片を起こしてシートの片方とトレイ本体を嵌め込み、嵌め込み後に抱き込み片を係合関係になるように倒すので、著しく手数がかかると共に、倒した抱き込み片が収納してあるディスクの周縁部に臨む（図２３参照）ので、ディスクの取り出しに際し衝突回避位置迄起こし、ディスクの嵌め込み後に抱き込み片を係合関係の位置迄倒す手数のかかる操作が必要になる。その要因は、上記抱き込み片をそのままにして収納凹部からディスクを取り出すと、ディスクの板面に臨んでいる抱き込み片によってディスクの記録面を傷付けるためである。
【００１５】
また、陳列ケースの箱体に対する蓋体の開閉は、箱体の底壁にハーフカットのヒンジを介し端壁を連成し、この端壁にハーフカットのヒンジを介し蓋体の蓋壁を連成してあるので、開放時点の蓋体が倒れる（図２３参照）。
【００１６】
その際、蓋体の蓋壁裏面にシートのもう片方を押え込み片により押え込んでいるので、収納ケースのシートのもう片方も倒れることになる。
【００１７】
すると、陳列ケースの閉鎖その都度シートのもう片方と共に蓋体を引き起こし、次いでディスクを被うよう蓋体を倒すので、煩わしい問題が発生した。
【００１８】
また、箱体に嵌め込んであるシートとトレイ本体は、蓋体の開放にともない蓋体と共に開放するシートにより蓋体側に向けてすべり移動する。
【００１９】
すると、蓋体の閉鎖時に上記すべり移動して箱体から一部が脱出（突出）したトレイ本体が突っ張って蓋体のスムーズな閉鎖ができない問題が発生した。
【００２０】
そこで、この発明の課題は、メーカーの出荷収納ケースをショップ側の陳列ケースに嵌め込むだけで、収納ケースのシートの側縁を押え込み片で押え込み、またトレイ本体を抱き込み片で抱き込む煩わしい作業をなくすると共に、収納ケースの蓋体の引き起こし後の倒す面倒な手数をなくするようにしたことにある。そして、蓋体のスムーズな閉鎖にさしつかえがないようにする。
【課題を解決するための手段】
【００２１】
上記の課題を解決するために、この発明は、底壁と、この底壁の各辺縁から上記底壁の裏面方向に突出する周壁とで構成した箱体と、この箱体の開口を開閉するように上記箱体の一辺に適宜のヒンジを介して設けた蓋体とで陳列ケースを形成し、この陳列ケースにショップ側以外による解錠ができないと共に、ショップ側による解錠にともない施錠部品を回収することができるような適宜の錠装置を設け、またディスクなどの商品を収納した箱体と、この箱体の両側壁端に両側壁端をピンを介し回動自在に取付けて前記箱体の開口を開閉する蓋体とで収納ケースを形成し、上記陳列ケースの箱体に収納ケースの箱体を、陳列ケースの蓋体に収納ケースの蓋体を前記ヒンジ及びヒンジのピンが並列する近傍位置になるように嵌め込んだ構成を採用する。
【００２２】
また、前記陳列ケースの箱体に、収納ケースの箱体のピンヒンジ側辺の脱出方向の移動を止める移動防止手段を設けた構成を採用することもある。
【００２３】
さらに、底壁と、この底壁の各辺縁から上記底壁の裏面方向に突出する周壁とで構成した箱体と、この箱体の開口を開閉するように上記箱体の一辺に適宜のヒンジを介し設けた蓋体とで陳列ケースを形成し、この陳列ケースの辺にショップ側以外による解錠ができないと共に、ショップ側による解錠にともない施錠部品を回収することができるような適宜の錠装置を設け、またディスクなどの商品を収納した箱体と、この箱体の開口を開閉するように前記箱体の一辺にハーフカットのヒンジを介し設けた蓋体とで収納ケースを形成し、上記陳列ケースの箱体に収納ケースの箱体を、上記陳列ケースの蓋体に収納ケースの蓋体を前記両ヒンジが並列する近傍位置になるように嵌め込んだ構成を採用する。
【００２４】
そして、底壁と、この底壁の一辺縁以外の辺縁から連なって上記底壁の裏面方向に突出する周壁とで構成した箱体と、蓋壁と、この蓋壁の一辺縁以外の辺縁から連なって上記蓋壁の裏面方向に突出する周壁とで構成した蓋体と、上記箱体の底壁及び蓋体の蓋壁の周壁が存在しない辺縁にヒンジを介し接続した連結壁とで陳列ケースを形成し、この陳列ケースにショップ側以外による解錠ができないと共に、ショップ側による解錠にともない施錠部品を回収することができるような適宜の錠装置を設け、またディスクなどの商品を収納した箱体と、この箱体の開口を開閉するように上記箱体の一辺にヒンジを介し設けた蓋体とで収納ケースを形成し、上記陳列ケースの箱体に収納ケースの箱体を両ヒンジが並列する近傍位置になるように嵌め込むと共に、上記陳列ケースの箱体に対し収納ケースの箱体を移動止め手段を介し上記周壁の存在しない方向にスライドしないようにした構成を採用することもある。
【００２５】
また、前記陳列ケースの箱体に収納ケースの箱体の脱出を止める係止手段を設けた構成を採用することもある。
【００２６】
さらに、前記施錠部品に盗難防止タグを設けたり、前記陳列ケースの周囲所定位置に嵌め込む指先を押し付け或いは引っかけて上記陳列ケースを開放する切欠部を設けることもある。
【００２７】
また、側面に出し入れ用の開口を有する箱体と、この箱体の周囲下辺側にヒンジを介し上記開口を開閉するように設けた蓋体と、この蓋体及び上記箱体の周囲上辺側にショップ以外による解錠ができないと共に、解錠にともなう施錠部品をショップに回収するように設けた錠装置とで陳列ケースを形成し、またディスクなどの商品を収納した箱体と、この箱体の周囲片方の垂直辺側にヒンジを介し前記箱体の開口を開閉する蓋体とで収納ケースを形成し、上記陳列ケースの箱体に上記収納ケースの開閉支点線が垂直になるようにして前記収納ケースの箱体を嵌め込んだ構成を採用する。
【００２８】
そして、前記陳列ケースの箱体の周壁の所要位置に開口から内方に向く指先の嵌り込み欠除部を設けた構成や、前記陳列ケースの周囲下辺側に蓋体の開放状況下に収納ケースの滑落防止手段を設けた構成を採用する。
【発明の効果】
【００２９】
以上のように、この発明のレンタル用盗難防止対象物によれば、ショップでの陳列時に錠装置により陳列ケースの開放を阻止するので、陳列ケース内のディスクなどの商品の収納ケースの取り出しによる盗難を防止し、また、レンタルに際しショップ側での錠装置の解錠と共に施錠部品をショップに回収するため、陳列ケースを貸し出しケースとして用いても施錠されずディスクの出し入れを妨げることもないと共に、ショップ側に陳列ケースが残らないために、ショップ側での手間のかかる陳列ケースの保管や整理が不要になる。
【００３０】
そして、収納ケースの蓋体を開放した際、陳列ケース側の箱体の周壁によって蓋体の陳列ケースの蓋体側への倒れを阻止して起立状態になる。
【００３１】
このため、収納ケースの閉鎖にともなう収納ケースの蓋体の引き起こし後押し倒す手間をなくすることができる。
【００３２】
また、陳列ケースの箱体に嵌め込んだ収納ケースの箱体を移動止め手段によりすべり移動しないようにしてあるので、陳列ケース及び収納ケースの蓋体を単独或いは同時に開放しても、陳列ケースの箱体内から収納ケースの箱体が陳列ケースの蓋体方向にすべり移動しない。
【００３３】
このため、陳列ケースの蓋体の閉鎖に際し何らさしつかえがないと共に、蓋体のスムーズな閉鎖ができると共に、陳列ケースの閉鎖状況下には、陳列ケースの箱体と蓋体との周壁の存在しない部分を連結壁により閉鎖するので、陳列ケース内の収納ケースの抜き取りを防止する効果がある。
【００３４】
さらに、移動止め手段や係止手段によって陳列ケースの箱体に対する収納ケースの脱出を防止するので、収納ケースの蓋体の開放がスムーズにできる。
【００３５】
また、ショップ側に回収する施錠部品にタグを設けてあるので、ショップからの持ち出し時に手間のかかるシールドが不要になる。
【００３６】
さらに、切欠部に嵌め込んだ指先を押し当て或いは引っかけて、この状態を維持しながら開放することで、陳列ケースのみ、陳列ケースと収納ケースの同時開放ができる。
【００３７】
また、ショップの棚に陳列ケースを並べたとき、陳列ケースの上辺に錠装置が位置するので、ショップの既存の棚の前縁から前方に陳列ケースの前方に向く辺縁のはみ出しがない。すなわち、はみ出しは、陳列ケースの前後に位置する辺の一方にヒンジを、他方に錠装置を配置したことによる。
【００３８】
このため、陳列ケースの区分間に介在した仕切シート（板）の区分見出しが陳列ケースにより隠蔽されることがないと共に、既存の棚板の改修の必要がない。
【００３９】
さらに、陳列ケースの蓋体の開放状況下に欠除部により収納ケースの蓋体の側縁に指先を引っかけることができるので、陳列ケースの箱体に収納ケースの箱体の嵌装状態を維持しながら収納ケースの蓋体の開放操作をスムーズに行なうことができ、又滑落防止手段により陳列ケースの箱体に対する収納ケースの箱体の抜け落ちを防止するので、収納ケースに収納してある商品の例えばディスクの損傷をなくする効果がある。
【発明を実施するための最良の形態】
【００４０】
以下、この発明の実施の形態を添付図面に基づいて説明する。
【００４１】
この発明の第１の実施形態では、図１から図６に示すように、底壁３１と、この底壁３１の各辺縁から底壁３１の裏面側に突出する周壁３２とで構成した箱体３３と、この箱体３３の開口を開閉するように箱体３３の一辺に適宜のヒンジ３４を介して設けた蓋体３５とで陳列ケースＫを形成する。
【００４２】
上記の蓋体３５は、図示の場合蓋壁３６と、この蓋壁３６の一辺を除く辺縁から蓋壁３６の裏面方向に突出する周壁３７とで構成し、上記のヒンジ３４は、図示の場合周壁３２の一辺開放縁と蓋壁３６の周壁３７の存在しない辺壁とに櫛歯状に設けて噛み合い状の嵌め込みにともない直列状に並ぶ筒部と、この筒部に挿入したピンとで形成したが、ピンヒンジに限定されず、図６に示すように、底壁３１にハーフカットのヒンジ３８を介し連結壁３９を連成し、この連結壁３９にハーフカットのヒンジ４０を介し蓋体３５の蓋壁３６を連成し、箱体３３の開口を蓋体３５により閉鎖したとき周壁３２に連結壁３９を外接するようにしたが、限定されず、例えば、周壁３２の一辺開放縁にハーフカットのヒンジを介し蓋体３５の蓋壁３６を連成したもの（図示省略）であってもよい。
【００４３】
勿論、蓋体３５の周壁３７も、ヒンジ３４、４０側の辺を除く三辺（図１に示す）に限定されず、ヒンジ４０に対向する辺のみ（図６に示す両側にないもの）であってもよい。
【００４４】
なお、陳列ケースＫの成形合成樹脂が半透明や不透明な場合、透視できなくなる（陳列ケースＫに収納した収納ケースＡが）ので、蓋壁３６のみ或いは蓋壁３６と底壁３１の両方に適宜形状の貫窓４１を設けて透視できるようにしておくとよい。
【００４５】
また、陳列ケースＫの所要の辺には、ショップ側以外による解錠ができないと共に、ショップ側の解錠にともない施錠部品４２をショップに回収することができる錠装置Ｂが設けてある。
【００４６】
上記の錠装置Ｂとしては、例えば図１から図６に示すように、箱体３３と蓋体３５の一辺に閉鎖状況下に交互に嵌り込んで（嵌み合い状に）直列状に並ぶ筒状体４３を設けて、この直列状に並ぶ筒状体４３に施錠部品４２としてのスライダ４４を挿入すると、スライダ４４が閂としての役目により箱体３３に対し蓋体３５の開放が阻止され、図５に示すようにスライダ４４と筒状体４３との対向面に設けてある一方の係止部４５と他方の係止爪４６との係合関係によってショップ側以外によるスライダ４４の抜き取りを阻止（係合関係は、図示の場合スライダ４４の挿入終了にともない押し戻しの解除された係止爪４６が係止部４５に引っかかるようにしたが、手動で係合関係にすることもできる）し、ショップ側による係合関係の解除と、旋錠部品４２としてスライダ４４のショップ側への回収は、例えば、鉄片の係止爪４６を磁石により磁吸して、係止爪４６と係止部４５の係合を解除し、そしてスライダ４４を引き抜く。
【００４７】
なお、図示のように、スライダ４４の端末から図示上方に突出する突起４７を片端の筒状体４３の端縁に設けてある切欠き４８に嵌入させて、スライダ４４の挿入ストッパとする以外に、磁石の解除具（図示省略）に突起４７を当接し、しかるのち、陳列ケースＫ或いは解除具をスライドさせる（このとき、陳列ケースＫを保持して、解除具をスライドさせるか、又は解除具を保持して陳列ケースＫをスライドさせる）と、突起４７の引っかかりによってスライダ４４が引き抜かれる。
【００４８】
勿論、解除具は、磁石方式に限定されず、ショップ側の解錠具の突起や突軸を押し込んで係止爪を押し戻しながら、係止爪と係合部との係合関係を解除する方式や、例えば特願２０００−３４５９２３号の図１２の方式を採用することもできる。
【００４９】
上記以外の錠装置Ｂとしては、例えば、箱体３３と蓋体３５との両周壁３２、３７の片方に筒状体を設け、もう片方にＬ形のフック片を設けると共に、筒状体の貫窓から筒状体内に陳列ケースＫの閉鎖にともない嵌入するフック片を設け、そして旋錠部品としてのスライダを挿入して、スライダにフック片が引っかかって陳列ケースＫの閉鎖維持をはかる。
【００５０】
勿論、スライダと筒状体やフック片との対向面に上述と同様の係合関係になる係止部と係止爪を設けておく。
【００５１】
なお、他の錠装置Ｂの構造としては、特願平１０−３４９２９号の構成や、特願平１１−２１２５８９号の構成や、特願２０００−１９０２９１号の構成など適宜選択して用いることもある。そして解錠方式も構成に見合うものを使用する。
【００５２】
要するに、陳列ケースＫにディスクａの収納ケースＡを入れて陳列ケースＫを閉鎖したのち、ショップ側で錠装置Ｂを施錠し、貸し出しにともないショップ側の解錠にともなう施錠部品４２をショップ側に回収するものであればよい。
【００５３】
その結果、転用した貸し出し陳列ケースＫには、施錠部品４２が存在しないために取り扱い時に施錠されることがない。
【００５４】
陳列ケースＫに入れる（収納する）収納ケースＡは、図２に示すように、ディスクａを収納した箱体５１と、この箱体５１の両側壁端にピン５２を介し両側壁５３、５３の端を回動自在に取付けた蓋体５４とで構成されている。
【００５５】
そして、陳列ケースＫの箱体３３に収納ケースＡの箱体５１を、蓋体３５に蓋体５４を嵌め込む。
【００５６】
その際、陳列ケースＫのヒンジ３４、３８、４０とヒンジのピン５２とが並列状で、近傍位置になるようにする。
【００５７】
すると、陳列ケースＫの蓋体３５を開放し、次いで収納ケースＡの蓋体５４を開放する。
【００５８】
上記の開放は、蓋体３５、５４を同時に開放（後述する）することもできる。
【００５９】
開放した蓋体５４は、箱体３３の周壁３２に当接して、開放後の起立後（図８実線位置から倒れた蓋体３５の方向に）倒れない。また側壁５３のヒンジのピン５２側端縁が蓋体５４を起した際、図１０に示すように底壁３１の内面に接して倒れ止めにもなる。
【００６０】
このため、収納ケースＡの蓋体５４の閉鎖操作が、従来のように蓋体３５上から引き起こし、次いで閉鎖位置迄押し倒すような手間のかかる操作が、起立位置から押し倒すのみになり、閉鎖がスムーズになる。
【００６１】
この発明の第２の実施形態では、図１、３及び８に示すように、陳列ケースＫの箱体３３には、箱体３３内の箱体５１のヒンジのピン５２側が脱出するのを移動防止手段５６により阻止するようになっている。
【００６２】
すると、蓋体５４の開放にともない箱体３３から箱体５１の脱出がなく、蓋体５４のスムーズな開放が可能になる。
【００６３】
上記の移動防止手段５６は、図示の場合、周壁３２の上縁から連なって底壁３１に対向するように押え片を突出させて設けたが、別部品を取付けて設けることもある。
【００６４】
要するに、箱体５１のヒンジのピン５２側を押え込んで脱出を防止する。
【００６５】
勿論、移動防止手段５６を有する周壁３２は、図示の底壁３１の辺縁全長から突出する以外に、必要な部分のみ、例えば移動防止手段５６を有する部分のみ（移動防止手段５６の押え片を設けるため）であってもよい。
【００６６】
そして、上記の移動防止手段５６は、箱体５１のヒンジのピン５２側の辺Ｐを抱き込む（押え込む）ので、蓋体５４の両側壁５３のピン５２側端を蓋体３５の辺縁に突出させて、この突出端を箱体５１の側壁にピン５２を介し取付けて、移動防止手段５６による抱き込みが箱体５１のみで、蓋体５４を抱き込まないようにしてある。
【００６７】
図中５７は移動防止手段５６の片を形成するために蓋壁３６にできた窓である。
【００６８】
この発明の第３の実施形態では、ショップ側に回収する施錠部品４２には、盗難防止タグＣが設けてある。
【００６９】
上記のタグＣは、周知（例えば特願平１１−３３８３５３号）のように、固有のＩＤコードをもち、ショップの出入口の通過の際、出入り口に設置の高周波電磁界の発生により共振回路が共振して固有のＩＤコードの発信にともない高周波電磁界を変調させるもので、店外の持ち出しを検出する。
【００７０】
すると、錠装置Ｂの施錠状況下でショップでの棚に陳列してある品物の持ち出しを阻止し、陳列ケースＫの貸し出し転用時における施錠部品４２のショップへの回収によって、陳列ケースＫのわずらわしいシールド作業や物品（袋など）が不要になる。
【００７１】
図中５９は、箱体３３のヒンジ３４、３８側周壁３２の内面に設けた間隙形成用の突部で、この突部５９によって周壁３２と箱体５１との間に間隙ができて、開閉する蓋体５４の側壁５３のピン５２側端縁と周壁３２との突っ張りを回避して蓋体５４のスムーズな開閉を保障する。
【００７２】
この発明の第４の実施形態では、図１２に示すように、第１の実施形態の陳列ケースＫに収納する収納ケースＡ′を、箱体５１と、この箱体５１の周壁一辺にハーフカットのヒンジ６１を介し開閉自在に設けた蓋体５４とで構成されている。
【００７３】
上記のハーフカットのヒンジ６１は、図１４に示すように、箱体５１と蓋体５４との周壁一辺の連結壁６２の下縁にハーフカットのヒンジ６１を介し箱体５１の底壁６３を、連結壁６２の上縁にハーフカットのヒンジ６１を介し蓋体５４の蓋壁６４を連成して形成（例えば合成樹脂の成形により）したが、連結壁６２の上縁側のハーフカットヒンジ６１のみであってもよい。
【００７４】
上記収納ケースＡ′を収納する陳列ケースＫの構成、錠装置Ｂ（施錠部品４２に設けたタグＣを有する）の構成は、第１の実施形態と同様につき、また施錠、解錠の操作及び効果も同様につき説明を省略する。
【００７５】
すると、陳列ケースＫを、収納ケースＡ′を開放した際、収納ケースＡ′の蓋体５４は、ハーフカットのヒンジ６１のため、蓋体５４が起立位置から開放続行方向に倒れることがない。
【００７６】
このため、蓋体５４を引き起こし、次いで閉鎖方向に押し倒す面倒な手間がなくなる。
【００７７】
さらに、陳列ケースＫの箱体３３と、箱体３３に嵌め込んである箱体５１には、箱体３３から箱体５１の脱出を止める係止手段Ｓが設けてある。
【００７８】
上記の係止手段Ｓは、図１３、１４に示すように収納ケースＡ′の周囲一面の凹入部７１と陳列ケースＫの周壁３２の内面から突出する突片７２を、箱体３３に箱体５１を嵌め込む際に嵌入して係止関係にし、蓋体５４の開放時に箱体３３から箱体５１が脱出しないようになっている。
【００７９】
また、上記以外に、図１５、１６、１７に示すように、箱体５１の周壁の孔７３に箱体３３周壁の突起７４を嵌め込んで係止することもできる。
【００８０】
その際、孔７３と突起７４を、図１６の箱体３３の対向周壁の片方のみ、或いは図１７に示すように対向周壁の両方に設けることもある。
【００８１】
要するに、蓋体５４の開放時に箱体３３から箱体５１の脱出を阻止することにある。
【００８２】
すると、蓋体５４の開放にともない箱体３３から箱体５１の脱出がなく、蓋体５４の開放をスムーズに行なうことができる。
【００８３】
そして、第４の実施形態の収納ケースＡ′を収納する陳列ケースＫの内面（ハーフカットのヒンジ６１側）にも突部５９を設けておく。
【００８４】
この発明の第５の実施形態では、第１の実施形態の収納ケースＡを収納した陳列ケースＫ及び第４の実施形態の収納ケースＡ′を収納した陳列ケースＫの周囲所要位置（ヒンジ３４に対向する辺や、ヒンジ３４の両側辺）には、嵌め込む指先を押し付け、或いは引っかけて陳列ケースＫのみ、或いは陳列ケースＫと収納ケースＡ、Ａ′の両方を開放する切欠部７５が設けてある。
【００８５】
上記の切欠部７５は、周壁３２、３７のみや周壁３２、３７から底壁３１の部を、周壁３２から蓋壁３６の一部を切り欠いて設ける。
【００８６】
すると、図１８に示すように切欠部７５の縁に指先を引っかけ、或いは収納ケースＡ′、Ａの箱体５１や蓋体５４の辺縁や周壁に指の掌面を押し付けながら開放する。
【００８７】
なお、商品は、ディスクａにかえて、例えばビデオテープなど、盗難を防止するその他のレンタル商品（収納ケースＡ、Ａ′に収納するもの）であってもよい。
【００８８】
この発明の第６の実施形態では、図１９から図２１に示すように、底壁３１と、この底壁３１の一辺縁以外の辺縁から連なって底壁３１の裏面方向に突出する周壁３２とで構成した箱体３３と、蓋壁３６と、この蓋壁３６の一辺縁以外の辺縁から連なって蓋壁３６の裏面方向に突出する周壁３７（この周壁３７は、箱体３３の周壁３２の外側に被さるようになっている。）とで構成した蓋体３５と、底壁３１と蓋壁３６の周壁３２、３７の存在しない辺縁にヒンジ９１、９２を介し接続した連結壁９３とで陳列ケースＫを形成する。
【００８９】
上記のヒンジ９１、９２は、図示の場合、箱体３３及び蓋体３５の各部と連結壁９３とを合成樹脂により一体成型し、底壁３１と連結壁９３との境と、蓋壁３６と連結壁９３との境にハーフカットのヒンジを並列状に設けたが、箱体３３、蓋体３５及び連結壁９３を別々に形成して、ピンヒンジによって連結することもある。
【００９０】
そして、連結壁９３も底壁３１、蓋壁３６の辺縁全長と同長になっているが、限定されず、辺縁の一部など（単数又は複数）設けることもできる。
【００９１】
また、陳列ケースＫには、ショップ側以外による解錠ができないと共に、ショップ側による解錠にともない施錠部品４２を回収（ショップ側に）することができる錠装置Ｂが設けてある。
【００９２】
上記の錠装置Ｂ及び施錠部品４２の構成、施錠、解錠の操作及び作用効果は、第１の実施形態と同様につき説明を省略する。
【００９３】
そして、施錠部品４２には、第３の実施形態と同様にタグＣを設けて、店外への施錠状態の陳列ケースＫの持ち出しを検出するようにしてある。
【００９４】
上記のタグＣは、第３の実施形態と同様につき説明を省略する。
【００９５】
収納ケースＡ′は、商品としてのディスクａを収納する（例えばビデオテープも可）箱体５１と、この箱体５１の開口を開閉するように箱体５１の一辺にヒンジ６１（図示のハーフカットに限定されずピンヒンジも可）を介し開閉自在に設けた蓋体５４とで構成されている。
【００９６】
なお、ヒンジ６１及び収納ケースＡ′は、図示の場合第４の実施形態と同様につき詳細な説明を省略する。
【００９７】
そして、陳列ケースＫの箱体３３に収納ケースＡ′の箱体５１を、蓋体３５に蓋体５４を嵌め込む。
【００９８】
その際、陳列ケースＫのヒンジ９１、９２に収納ケースＡ′のヒンジ６１が並列し、かつ近傍位置になるように、陳列ケースＫに収納ケースＡ′を嵌入する。
【００９９】
また、陳列ケースＫの箱体３３に対し収納ケースＡ′の箱体５１が連結壁９３の方向に移動止め手段９５によりスライドしないようにしてある。
【０１００】
上記の移動止め手段９５は、図示の場合、両箱体３３、５１の平行する両側面の一方に穴や孔９６を、他方に孔９６に嵌入する突起（軸）９７を設けて、孔９６に突起９７を嵌め込んで、この嵌め込みによる係合関係によつて、収納ケースＡ′のスライドを止めるようにしたが、その他の方式によって目的を達成するようにすることもある。
【０１０１】
すると、陳列ケースＫの蓋体３５を開放し、また収納ケースＡ′の蓋体５４を開放した際の、箱体３３内での箱体５１のスライドを移動止め手段９５により止められているので、箱体３３の連結壁９３を有する開放辺からの箱体５１の移動によるはみ出しがない。
【０１０２】
従って、陳列ケースＫの蓋体３５の閉鎖に際し、収納ケースＡ′の箱体５１と蓋体３５との衝突などによる邪魔することなく、蓋体３５のスムーズな閉鎖ができる。
【０１０３】
なお、図示のように陳列ケースＫの周囲所要位置に嵌め込む指先を押し付け、或いは引っかける切欠部７５を設けておく。
【０１０４】
すると、第５の実施形態と同様の効果が発揮できる。
【０１０５】
上記の切欠部７５は、第５の実施形態と同様につき説明を省略する。
【０１０６】
また、連結壁９３によって陳列ケースＫ内の収納ケースＡ′の引き抜きを阻止する。
【０１０７】
なお、底壁３１、蓋壁３６に貫窓４１を設けることもある。
【０１０８】
この発明の第７の実施形態では、図２２から図２９に示すように、側面に出し入れ用の開口１１１を有する箱体１１２と、この箱体１１２の周囲下辺側にヒンジ１１３を介し開口１１１を開閉するように設けた蓋体１１４と、この蓋体１１４及び箱体１１２の周囲上辺側にショップ以外による解錠ができないと共に、解錠にともなう施錠部品４２をショップに回収するように設けた錠装置Ｂとで陳列ケースＫ′を形成する。
【０１０９】
上記陳列ケースＫ′を構成する箱体１１２としては、図示の場合、側壁１１５と、この側壁１１５の辺縁から連なって側壁１１５の裏面方向に突出する周壁１１６とで構成したが、上記構成に限定されず、例えば側壁１１５の所要辺縁のみや、辺縁の所定部分、例えばコーナーや中間などから突出させてもよい。
【０１１０】
又上記の蓋体１１４は、開口１１１を閉鎖する側壁１１７の錠装置Ｂ側の辺縁のみ或いは各辺縁から連なって側壁１１７の裏面方向に突出する周壁１１８を設けて構成する以外に、周壁１１８を所要辺縁のみや、辺縁の所定部分、例えば、コーナー部分や中間などから突出させてもよい。
【０１１１】
更に、上記のヒンジ１１３は、図示の場合陳列時下辺になる周壁１１６に側壁１１７の辺縁をピンヒンジを介し取付けてあるが、限定されず、ハーフカットのヒンジであってもよい。
【０１１２】
そしてハーフカットのヒンジも、例えば周壁１１６と側壁１１７の連成部分の一条や、両端を切り離した周壁１１６と側壁１１５、１１７の連成部分の二条などであってもよい。
【０１１３】
上記の錠装置Ｂとしては、例えば図２２から２５に示す場合、挿入口１２３から挿入した施錠部品４２としての挿入部材１２４をガイド手段１２５により案内すると共に、挿入部材１２４と陳列ケースＫ′との掛合手段１２６の掛合関係によって陳列ケースＫ′の閉鎖状態の維持をはかり、又挿入部材１２４の挿入にともない復元力に抗して押し戻される係止爪１２７と、挿入部材１２４の挿入終了にともない係止爪１２７が係合関係（挿入部材１２４の顧客による抜き取りを阻止する）になるようにガイド手段１２５内に設けた係合部１２８とで構成し、上記の掛合手段１２６も、図に示す場合、周知のように両側壁１１５、１１７の上縁から連なって周壁１１６、１１８の上側に位置する並列７字状の係合溝１２９、１２９を設けて、この両係合溝１２９、１２９に挿入する挿入部材１２４の両側板１３０、１３０を掛合状態に嵌入して、この嵌入によって箱体１１２と蓋体１１４との閉鎖状態維持をはかるようにしたが、限定されず、例えば第１、第４及び第６の実施形態の錠装置Ｂの構造を採用してもよい。
【０１１４】
そして、上述の並列係合溝１２９、１２９と周壁１１６、１１８とで囲まれた空隙を一端に挿入口１２３を有するガイド手段１２５としたが、両周壁１１６、１１８の突き合わせ縁から内側に並列係合溝１２９、１２９を、両周壁１１６、１１８の内側で、かつ両周壁１１６、１１８の内側で平行するように両側壁１１５、１１７の内面に突出壁（いずれも図示省略）を設けて、その空隙を一端に挿入口を有するガイド手段とすることもできる。
【０１１５】
なお、係止爪１２７は、合成樹脂により施錠部品４２としての挿入部材１２４を成形する際、両側板１３０をＨ形に連結する連結板１３１にコ字状のスリット１３２を入れて、このスリット１３２の内側を係合部１２８（図示の凹入部に限定されず、突起であってもよい）の方向に突出させて設けたが、挿入部材１２４と一体成形の係止爪１２７と解除具の磁石によって係合部１２８に対する係合関係を解除する磁吸鉄片の係止爪１２７を組み合わせたが、限定されない。
【０１１６】
要するに、第１の実施形態と同様に施錠部品４２によって陳列ケースＫ′の開放（陳列時の）を阻止し、ショップ側に解錠操作により施錠部品４２（挿入部材１２４）を回収することにある。
【０１１７】
すると、陳列ケースＫ′を貸し出しケースとして転用することが可能（この可能は、貸し出し時に施錠部品４２が存在しないので、貸し出し中に陳列ケースＫ′が施錠されないため）になり、又ショップに陳列ケースＫ′が残らない。
【０１１８】
また、上記の陳列ケースＫ′内には、商品のディスクａを収納した（メーカーから出荷された）収納ケースＡが嵌め込んである。
【０１１９】
上記収納ケースＡの構成は、第１の実施形態と同様につき説明を省略する。
【０１２０】
上記収納ケースＡの嵌め込みは、陳列ケースＫ′の箱体１１２に収納ケースＡの箱体５１を嵌め込むもので、収納ケースＡのピン５２ヒンジ側辺を、錠装置Ｂを上辺側に位置させた状態での陳列ケースＫ′の片方の垂直辺側を位置するよう嵌め込む。
【０１２１】
その際、第２実施形態と同様の箱体１１２に設けてある移動防止手段５６によって箱体５１のヒンジのピン５２側辺を押え込んで、箱体１１２に対する箱体５１のヒンジのピン５２側の脱出を防止すると、蓋体５４の開放がスムーズになる。
【０１２２】
なお、移動防止手段５６による押え込み（抱き込み）は、第２実施形態と同様に、蓋体５４の開放を阻害しないように箱体５１側のみとする。
【０１２３】
そして、蓋体１１４の側壁１１５に蓋体１１４の閉鎖時移動防止手段５６の片が嵌り込む窓５７を設けて、蓋体１１４の閉鎖に支障をきたさないようにする。
【０１２４】
すると、図３１に示すように、ショップの既存の棚Ｔに錠装置Ｂを上方に位置させて陳列ケースＫ′を並べて陳列しても、棚Ｔの前面と陳列ケースＫ′の前方に向く垂直な辺とが面一になって（この面一になることは、錠装置Ｂが前方や後方に向かないことに起因する）、例えば陳列ケースＫ′の区分間に介在した仕切シート板Ｐの区分見出しが陳列ケースＫ′により隠蔽されることがないと共に、既存の棚の改修などが不要になる。
【０１２５】
その結果、図３２に示すように、従来の陳列のショップの棚Ｔに錠装置が前方に向くよう陳列ケースを並べて陳列したとき、棚Ｔの前縁から前方に突出する錠装置により仕切シート板Ｐの区分見出しが隠蔽される問題がない。
【０１２６】
前述の錠装置Ｂとしての図２３、２４の方式のショップ側による解錠は、図３０に示すように、解除具１４１の突軸１４２を係合溝１２９の突き合わせ面を挟んで表裏面が貫通する貫通孔１４３に嵌入する。
【０１２７】
すると、突軸１４２に当接する係止爪１２７を押し戻して、係止爪１２７と係合部１２８との係合関係を解除する。
【０１２８】
一方、併設してある磁吸係止爪１２７は、解除具１４１の磁石１４４によって磁吸されて、係合部１２８に対する係止爪１２７の係合関係を解除する。
【０１２９】
この状況下に挿入部材１２４の片１４５に指先を引っかけて、挿入部材１２４を抜き取る。
【０１３０】
抜き取った施錠部品４２の挿入部材１２４をショップ側に回収する。
【０１３１】
また、施錠部品４２には、店外への持ち出しを検出する盗難防止タグＣが設けてある。
【０１３２】
上記の盗難防止タグＣの構成及び作用効果は、第３の実施形態と同様につき説明を省略する。
【０１３３】
この発明の第８の実施形態では、図２２、２３、２４、２８に示すように陳列ケースＫ′の周壁１１６の所要位置には、箱体１１２に納まる収納ケースＡの蓋体５４の開放に際し、蓋体５４の辺縁に引っかける或いは蓋体５４の辺縁をつかむ指先の嵌り込む欠除部１５１が設けてある。
【０１３４】
上記の欠除部１５１は、周壁１１６のヒンジ１１３側及び錠装置Ｂ側の両方で、開口１１１の縁から内方に向けて形成し、片手の親指と人差し指或いは中指などで蓋体５４の二辺の縁をつかむようにする以外に、ヒンジ１１３及び錠装置Ｂのいずれか片側の周壁１１６のみや、移動防止手段５６に対向する側の周壁１１６のみに設けることもできる。
【０１３５】
そして、図示のように蓋体１１４の閉鎖時周壁１１８に設けてある突出片１５２を欠除部１５１に嵌り込むようにしておくと、体裁がよく、また陳列ケースＫ′の周囲面から陳列ケースＫ′内の収納ケースＡが見えない。
【０１３６】
また、もう片方の手の親指と人差し指或いは中指で陳列ケースＫ′のヒンジ１１３側と錠装置Ｂ側の両周壁１１６をつかんだ際、つかみによる内方への押圧力で周壁１１６が収納ケースＡの対向二辺に押し付けられ、この押し付けにより蓋体５４のスムーズな開放を阻害するとき、上記対向面間に間隙Ｇを設けることにより、スムーズな開放を保障することができる。
【０１３７】
上記の間隙Ｇを形成する手段としては、例えば箱体１１２の周壁１１６の内側に蓋体１１４の周壁１１８が嵌入するようにし、蓋体１１４の開放にともない周壁１１６の内側から周壁１１８が脱出して、周壁１１６と収納ケースＡとの間に間隙Ｇができる形式や、側壁１１５の内面周壁１１６側に突出部１５３を設けて、この突出部１５３によって周壁１１６が収納ケースＡの周面に圧接されるようにしてある。
【０１３８】
なお、上記の欠除部１５１を周壁１１６側のみ以外に、図２２に示すように、蓋体１１４の側壁１１７の辺縁から内方に設けて、周壁１１６と側壁１１７の両欠除部１５１によって指の嵌り込みをスムーズに行なうことができるようにすることもある。
【０１３９】
この発明の第９の実施形態では、陳列ケースＫ′に開放状況下に箱体１１２から収納ケースＡの滑落を阻止する滑落防止手段１６１が設けてある。
【０１４０】
上記の滑落防止手段１６１としては、図２６に示すように、箱体１１２の周壁１１６を利用する場合と、突出部１５３を利用する場合と、図２９に示すように周壁１１６の突出長さを短かくして、この突出長さの短かい周壁１１６に蓋体１１４の側壁１１７に連なる突出長さの短かい周壁１１８をヒンジ１１３を介し連結することにより、蓋体１１４の開放時突出長さの短かい周壁１１６によって収納ケースＡの周面一部を受架して滑落をなくすることができる。
【０１４１】
また、図３３に示すように、側壁１１７の内面から突片１７１を突出させて、この突片１７１に収納ケースＡを当接させて、収納ケースＡの滑落を防止する。
【０１４２】
その際、蓋体１１４の側壁１１７に蓋体１１４の閉鎖の際、突片１７１が嵌り込む貫孔１７２を設けておくとよい。
【０１４３】
図中１６３は側壁１１５、１１７に設けた貫窓である。
【図面の簡単な説明】
【０１４４】
【図１】この発明の実施形態を示す陳列ケースの斜視図
【図２】収納ケースの斜視図
【図３】陳列ケースに収納ケースを嵌め込んだ斜視図
【図４】錠装置の部分を示す斜視図
【図５】同上の一部切欠側面図
【図６】陳列ケースの他の例を示す斜視図
【図７】嵌め込んだ陳列ケースと収納ケースとの一部切欠正面図
【図８】同上の開放状態を示す一部切欠正面図
【図９】ヒンジの部分を示す縦断拡大正面図
【図１０】同上の開放状態を示す縦断拡大正面図
【図１１】同上の収納ケースの開放を示す一部切欠正面図
【図１２】他の収納ケースの組み合わせを示す斜視図
【図１３】同上の一部切欠平面図
【図１４】同一部切欠正面図
【図１５】同上の要部を示す一部切欠平面図
【図１６】脱出防止の係止手段を示す一部切欠正面図
【図１７】他の係止手段を示す位置部切欠正面図
【図１８】開放の操作状態を示す一部切欠正面図
【図１９】第６の実施形態を示す分解斜視図
【図２０】陳列ケースに収納ケースを組み込んだ状態の一部切欠平面図
【図２１】同上の一部切欠側面図
【図２２】第７の実施形態の陳列ケースを開放した斜視図
【図２３】陳列ケースと施錠部品の斜視図
【図２４】施錠状態の縦断側面図
【図２５】同上の縦断正面図
【図２６】陳列ケースの縦断正面図
【図２７】蓋体の開放を示す縦断正面図
【図２８】陳列ケースを開放した斜視図
【図２９】陳列ケースの異なるヒンジの位置を示す縦断正面図
【図３０】解錠を示す一部切欠側面図
【図３１】陳列の状態を示す縦断側面図
【図３２】従来の陳列対比を示す縦断側面図
【図３３】滑落防止手段を示す斜視図
【図３４】従来品の分解斜視図
【図３５】同上の組み合わせを示す斜視図
【図３６】陳列ケースの開放阻止部分を示す斜視図
【図３７】同上の一部切欠平面図
【図３８】同一部切欠正面図
【符号の説明】
【０１４５】
Ｋ、Ｋ′          陳列ケース
Ａ、Ａ′          収納ケース
ａ                ディスク
Ｂ                錠装置
Ｃ                タグ
Ｇ                間隙
Ｐ                仕切シート板
Ｓ                係止手段
Ｔ                棚
３１              底壁
３２              周壁
３３              箱体
３４、３８、４０  ヒンジ 
３５              蓋体
３６              蓋壁
３７              周壁
３９              連結壁
４１              貫窓
４２              施錠部品
４３              筒状体
４４              スライダ
４５              係止部
４６              係止爪
４７              突起
４８              切欠き
５１              箱体
５２              ピン
５３              側壁
５４              蓋体
５６              移動防止手段
５７              窓
６１              ヒンジ
６２              連結壁
７１              凹入部
７２              突片
７３              孔
７４              突起
７５              切欠部
９１、９２        ヒンジ
９３              連結壁
９５              移動止め手段
９６              孔
９７              突起
１１１            開口
１１２            箱体
１１３            ヒンジ
１１４            蓋体
１１５            側壁
１１６            周壁
１１７            側壁
１１８            周壁
１２３            挿入口
１２４            挿入部材
１２５            ガイド手段
１２６            掛合手段
１２７            係止爪
１２８            係合部
１２９            係合溝
１３０            側板
１３１            連結板
１３２            スリット
１４１            解除具
１４４            磁石
１５１            欠除部
１５２            突出片
１５３            突出部
１６１            滑落防止手段
【図１】
2006052011.tif 000003
【図２】
2006052011.tif 000004
【図３】
2006052011.tif 000005
【図４】
2006052011.tif 000006
【図５】
2006052011.tif 000007
【図６】
2006052011.tif 000008
【図７】
2006052011.tif 000009
【図８】
2006052011.tif 000010
【図９】
2006052011.tif 000011
【図１０】
2006052011.tif 000012
【図１１】
2006052011.tif 000013
【図１２】
2006052011.tif 000014
【図１３】
2006052011.tif 000015
【図１４】
2006052011.tif 000016
【図１５】
2006052011.tif 000017
【図１６】
2006052011.tif 000018
【図１７】
2006052011.tif 000019
【図１８】
2006052011.tif 000020
【図１９】
2006052011.tif 000021
【図２０】
2006052011.tif 000022
【図２１】
2006052011.tif 000023
【図２２】
2006052011.tif 000024
【図２３】
2006052011.tif 000025
【図２４】
2006052011.tif 000026
【図２５】
2006052011.tif 000027
【図２６】
2006052011.tif 000028
【図２７】
2006052011.tif 000029
【図２８】
2006052011.tif 000030
【図２９】
2006052011.tif 000031
【図３０】
2006052011.tif 000032
【図３１】
2006052011.tif 000033
【図３２】
2006052011.tif 000034
【図３３】
2006052011.tif 000035
【図３４】
2006052011.tif 000036
【図３５】
2006052011.tif 000037
【図３６】
2006052011.tif 000038
【図３７】
2006052011.tif 000039
【図３８】
2006052011.tif 000040
【手続補正書】
【提出日】平成16年12月8日(2004.12.8)
【手続補正１】
【補正対象書類名】図面
【補正対象項目名】図２２
【補正方法】変更
【補正の内容】
【図２２】
2006052011.tif 000041
【手続補正２】
【補正対象書類名】図面
【補正対象項目名】図２３
【補正方法】変更
【補正の内容】
【図２３】
2006052011.tif 000042
【手続補正３】
【補正対象書類名】図面
【補正対象項目名】図２４
【補正方法】変更
【補正の内容】
【図２４】
2006052011.tif 000043
【手続補正４】
【補正対象書類名】図面
【補正対象項目名】図２８
【補正方法】変更
【補正の内容】
【図２８】
2006052011.tif 000044
【手続補正５】
【補正対象書類名】図面
【補正対象項目名】図３０
【補正方法】変更
【補正の内容】
【図３０】
2006052011.tif 000045
【手続補正６】
【補正対象書類名】図面
【補正対象項目名】図３３
【補正方法】変更
【補正の内容】
【図３３】
2006052011.tif 000046
【手続補正書】
【提出日】平成16年12月20日(2004.12.20)
【手続補正１】
【補正対象書類名】特許請求の範囲
【補正対象項目名】全文
【補正方法】変更
【補正の内容】
【特許請求の範囲】
【請求項１】
底壁と、この底壁の各辺縁から上記底壁の裏面方向に突出する周壁とで構成した箱体と、この箱体の開口を開閉するように上記箱体の一辺に適宜のヒンジを介して設けた蓋体とで陳列ケースを形成し、この陳列ケースにショップ側以外による解錠ができないと共に、ショップ側による解錠にともない施錠部品を回収することができるような適宜の錠装置を設け、またディスクなどの商品を収納した箱体と、この箱体の両側壁端に両側壁端をピンを介し回動自在に取付けて前記箱体の開口を開閉する蓋体とで収納ケースを形成し、上記陳列ケースの箱体に収納ケースの箱体を、陳列ケースの蓋体に収納ケースの蓋体を前記ヒンジ及びヒンジのピンが並列する近傍位置になるように嵌め込んだことを特徴とするレンタル用盗難防止対象物。
【請求項２】
前記陳列ケースの箱体に、収納ケースの箱体のピンヒンジ側辺の脱出方向の移動を止める移動防止手段を設けたことを特徴とする請求項１に記載のレンタル用盗難防止対象物。
【請求項３】
底壁と、この底壁の各辺縁から上記底壁の裏面方向に突出する周壁とで構成した箱体と、この箱体の開口を開閉するように上記箱体の一辺に適宜のヒンジを介し設けた蓋体とで陳列ケースを形成し、この陳列ケースの辺にショップ側以外による解錠ができないと共に、ショップ側による解錠にともない施錠部品を回収することができるような適宜の錠装置を設け、またディスクなどの商品を収納した箱体と、この箱体の開口を開閉するように前記箱体の一辺にハーフカットのヒンジを介し設けた蓋体とで収納ケースを形成し、上記陳列ケースの箱体に収納ケースの箱体を、上記陳列ケースの蓋体に収納ケースの蓋体を前記両ヒンジが並列する近傍位置になるように嵌め込んだことを特徴とするレンタル用盗難防止対象物。
【請求項４】
前記陳列ケースの箱体に収納ケースの箱体の脱出を止める係止手段を設けたことを特徴とする請求項３に記載のレンタル用盗難防止対象物。
【請求項５】
底壁と、この底壁の一辺縁以外の辺縁から連なって上記底壁の裏面方向に突出する周壁とで構成した箱体と、蓋壁と、この蓋壁の一辺縁以外の辺縁から連なって上記蓋壁の裏面方向に突出する周壁とで構成した蓋体と、上記箱体の底壁及び蓋体の蓋壁の周壁が存在しない辺縁にヒンジを介し接続した連結壁とで陳列ケースを形成し、この陳列ケースにショップ側以外による解錠ができないと共に、ショップ側による解錠にともない施錠部品を回収することができるような適宜の錠装置を設け、またディスクなどの商品を収納した箱体と、この箱体の開口を開閉するように上記箱体の一辺にヒンジを介し設けた蓋体とで収納ケースを形成し、上記陳列ケースの箱体に収納ケースの箱体を両ヒンジが並列する近傍位置になるように嵌め込むと共に、上記陳列ケースの箱体に対し収納ケースの箱体を移動止め手段を介し上記周壁の存在しない方向にスライドしないようにしたことを特徴とするレンタル用盗難防止対象物。
【請求項６】
前記施錠部品に盗難防止タグを設けたことを特徴とする請求項１、３又は５に記載のレンタル用盗難防止対象物。
【請求項７】
前記陳列ケースの周囲所定位置に嵌め込む指先を押し付け或いは引っかけて上記陳列ケースを開放する切欠部を設けたことを特徴とする請求項１、３又は５に記載のレンタル用盗難防止対象物。
【請求項８】
側面に出し入れ用の開口を有する箱体と、この箱体の周囲下辺側にヒンジを介し上記開口を開閉するように設けた蓋体と、この蓋体及び上記箱体の周囲上辺側にショップ以外による解錠ができないと共に、解錠にともなう施錠部品をショップに回収するように設けた錠装置とで陳列ケースを形成し、またディスクなどの商品を収納した箱体と、この箱体の周囲一辺にヒンジを介し前記箱体の開口を開閉する蓋体とで収納ケースを形成し、上記陳列ケースの箱体に上記収納ケースの箱体を嵌め込んだ時、上記陳列ケースのヒンジと上記収納ケースのヒンジとが直角位置とすることを特徴とするレンタル用盗難防止対象物。
【請求項９】
前記陳列ケースの箱体の周壁の所要位置に開口から内方に向く指先の嵌り込み欠除部を設けたことを特徴とする請求項８に記載のレンタル用盗難防止対象物。
【請求項１０】
前記陳列ケースの周囲下辺側に蓋体の開放状況下に収納ケースの滑落防止手段を設けたことを特徴とする請求項８に記載のレンタル用盗難防止対象物。
【請求項１１】
前記施錠部品に盗難防止タグを設けたことを特徴とする請求項８に記載のレンタル用盗難防止対象物。
【手続補正２】
【補正対象書類名】明細書
【補正対象項目名】全文
【補正方法】変更
【補正の内容】
【発明の詳細な説明】
【技術分野】
【０００１】
この発明は、メーカーの収納ケースに収納してある商品の音楽や映像を記録してあるディスクが盗難に遭うのを防止するレンタル用盗難防止対象物に関する。
【背景技術】
【０００２】
ショップにメーカーから出荷されたディスクの収納ケース（収納用トレイ）を陳列すると、収納ケースを開放して収納ディスクの取り出しが容易になるので、ディスクの盗難に遭う。
【０００３】
そこで、透明な合成樹脂製の袋により上記ディスクの収納ケースを包装して陳列する（特許文献１）。
【０００４】
しかしながら、容易に袋を開放或いは破ることができるので、ディスクの盗難に遭う。
【０００５】
そこで、陳列時の収納ケース（ディスクを収納した収納用トレイ）からディスクの盗難を防止する目的で、ショップ側の陳列ケースに特許文献１のディスク収納トレイを収納したものがある。
【０００６】
上記の陳列ケースとディスク収納ケース（収納用トレイ）との組み合わせ方式は、図３４から図３８に示すように、中間に二つ折り屈曲部１を有するシート２と、このシート２の裏面片方（端縁と屈曲部１との間）に重ねて接着により固定したトレイ本体３とで収納ケース４（収納用トレイ）を形成し、トレイ本体３の収納凹部５に収納したディスク６を、シート２のもう片方で被うようにしてある。
【０００７】
収納ケース４を収納する陳列ケース７は、底壁８と、この底壁８の両側縁から連なって底壁の裏面方向に突出する側壁９、９とで形成した箱体１０と、底壁８の片方端縁にハーフカットのヒンジ１１を介し屈曲自在に連なる端壁１２と、この端壁１２にハーフカットのヒンジ１３を介し屈曲自在に連なる蓋壁１４と、この蓋壁１４の両側縁から連なって蓋壁１４の裏面方向に突出すると共に、側壁９の外側に被さる側壁１５、１５とで形成した蓋体１６とで構成されている。
【０００８】
そして、図３５に示すように箱体１０には、シート２の片方と共にトレイ本体３が嵌め込まれ、蓋体１６には、シート２のもう片方が嵌め込まれる。
【０００９】
その際、側壁９、９の開放縁から連なる屈曲自在な抱き込み片１７によってトレイ本体３の表面側縁を抱き込んで、箱体１０に対するトレイ本体３の納まりの安定化をはかり、また蓋壁１４の側縁にコ字状の切り込みを入れて、この切り込み１８の内側の押え込み片１９の裏側にシート２の側縁を差し込んでシート２を保持している。
【００１０】
そして、図３７に示すように陳列ケース７の閉鎖後に底壁８と蓋壁１４との合致した端縁から内方に板状体２０を挿入しながら、この板状体２０の両側縁の閂材２１を、箱体８と蓋体１６との側壁９、９、１５、１５の内側面に突出させて設けてある櫛歯状で、かつ噛み合い状に嵌り込んで直列状に並ぶ閂挿通部２２に貫通させることで陳列ケース７の閉鎖維持をはかる。
【００１１】
上記閉鎖維持の状況下に陳列ケース７の内面掛止部２３に板状体２０の掛止爪２４が掛合して、板状体２０の引き抜きを阻止するようになっている。
【００１２】
なお、ショップ側の解除具（図示省略）のピンを掛止部２３に貫通する透孔２６に嵌入して、ピンの先端により掛止爪２４を押し戻しながら、掛止部２３から掛止爪２４を脱出させて掛合関係を解除することで、板状体２０を引き抜くことが可能になっている。
【００１３】
【特許文献１】特開平７−２５７６７５号公報
【発明の開示】
【発明が解決しようとする課題】
【００１４】
ところで、収納ケースと陳列ケースとを組み合わせた構造のものは、陳列ケースの箱体に対する収納ケースの片方のシート及び重ね合わさったトレイ本体の脱出防止を抱き込み片によって行なうようになっているので、抱き込み片を起こしてシートの片方とトレイ本体を嵌め込み、嵌め込み後に抱き込み片を係合関係になるように倒すので、著しく手数がかかると共に、倒した抱き込み片が収納してあるディスクの周縁部に臨む（図２３参照）ので、ディスクの取り出しに際し衝突回避位置迄起こし、ディスクの嵌め込み後に抱き込み片を係合関係の位置迄倒す手数のかかる操作が必要になる。その要因は、上記抱き込み片をそのままにして収納凹部からディスクを取り出すと、ディスクの板面に臨んでいる抱き込み片によってディスクの記録面を傷付けるためである。
【００１５】
また、箱体に嵌め込んであるシートとトレイ本体は、蓋体の開放にともない蓋体と共に開放するシートにより蓋体側に向けてすべり移動する。
【００１６】
すると、蓋体の閉鎖時に上記すべり移動して箱体から一部が脱出（突出）したトレイ本体が突っ張って蓋体のスムーズな閉鎖ができない問題が発生した。
【００１７】
そこで、この発明の課題は、メーカーの出荷収納ケースをショップ側の陳列ケースに嵌め込むだけで、収納ケースのシートの側縁を押え込み片で押え込み、またトレイ本体を抱き込み片で抱き込む煩わしい作業をなくするようにする。
【課題を解決するための手段】
【００１８】
上記の課題を解決するために、この発明は、底壁と、この底壁の各辺縁から上記底壁の裏面方向に突出する周壁とで構成した箱体と、この箱体の開口を開閉するように上記箱体の一辺に適宜のヒンジを介して設けた蓋体とで陳列ケースを形成し、この陳列ケースにショップ側以外による解錠ができないと共に、ショップ側による解錠にともない施錠部品を回収することができるような適宜の錠装置を設け、またディスクなどの商品を収納した箱体と、この箱体の両側壁端に両側壁端をピンを介し回動自在に取付けて前記箱体の開口を開閉する蓋体とで収納ケースを形成し、上記陳列ケースの箱体に収納ケースの箱体を、陳列ケースの蓋体に収納ケースの蓋体を前記ヒンジ及びヒンジのピンが並列する近傍位置になるように嵌め込んだ構成を採用する。
【００１９】
また、前記陳列ケースの箱体に、収納ケースの箱体のピンヒンジ側辺の脱出方向の移動を止める移動防止手段を設けた構成を採用することもある。
【００２０】
さらに、底壁と、この底壁の各辺縁から上記底壁の裏面方向に突出する周壁とで構成した箱体と、この箱体の開口を開閉するように上記箱体の一辺に適宜のヒンジを介し設けた蓋体とで陳列ケースを形成し、この陳列ケースの辺にショップ側以外による解錠ができないと共に、ショップ側による解錠にともない施錠部品を回収することができるような適宜の錠装置を設け、またディスクなどの商品を収納した箱体と、この箱体の開口を開閉するように前記箱体の一辺にハーフカットのヒンジを介し設けた蓋体とで収納ケースを形成し、上記陳列ケースの箱体に収納ケースの箱体を、上記陳列ケースの蓋体に収納ケースの蓋体を前記両ヒンジが並列する近傍位置になるように嵌め込んだ構成を採用する。
【００２１】
そして、底壁と、この底壁の一辺縁以外の辺縁から連なって上記底壁の裏面方向に突出する周壁とで構成した箱体と、蓋壁と、この蓋壁の一辺縁以外の辺縁から連なって上記蓋壁の裏面方向に突出する周壁とで構成した蓋体と、上記箱体の底壁及び蓋体の蓋壁の周壁が存在しない辺縁にヒンジを介し接続した連結壁とで陳列ケースを形成し、この陳列ケースにショップ側以外による解錠ができないと共に、ショップ側による解錠にともない施錠部品を回収することができるような適宜の錠装置を設け、またディスクなどの商品を収納した箱体と、この箱体の開口を開閉するように上記箱体の一辺にヒンジを介し設けた蓋体とで収納ケースを形成し、上記陳列ケースの箱体に収納ケースの箱体を両ヒンジが並列する近傍位置になるように嵌め込むと共に、上記陳列ケースの箱体に対し収納ケースの箱体を移動止め手段を介し上記周壁の存在しない方向にスライドしないようにした構成を採用することもある。
【００２２】
また、前記陳列ケースの箱体に収納ケースの箱体の脱出を止める係止手段を設けた構成を採用することもある。
【００２３】
さらに、前記施錠部品に盗難防止タグを設けたり、前記陳列ケースの周囲所定位置に嵌め込む指先を押し付け或いは引っかけて上記陳列ケースを開放する切欠部を設けることもある。
【００２４】
また、側面に出し入れ用の開口を有する箱体と、この箱体の周囲下辺側にヒンジを介し上記開口を開閉するように設けた蓋体と、この蓋体及び上記箱体の周囲上辺側にショップ以外による解錠ができないと共に、解錠にともなう施錠部品をショップに回収するように設けた錠装置とで陳列ケースを形成し、またディスクなどの商品を収納した箱体と、この箱体の周囲一辺にヒンジを介し前記箱体の開口を開閉する蓋体とで収納ケースを形成し、上記陳列ケースの箱体に上記収納ケースの箱体を嵌め込んだ時、上記陳列ケースのヒンジと上記収納ケースのヒンジとが直角位置とする構成を採用する。
【００２５】
そして、前記陳列ケースの箱体の周壁の所要位置に開口から内方に向く指先の嵌り込み欠除部を設けた構成や、前記陳列ケースの周囲下辺側に蓋体の開放状況下に収納ケースの滑落防止手段を設けた構成を採用する。
【発明の効果】
【００２６】
以上のように、この発明のレンタル用盗難防止対象物によれば、ショップでの陳列時に錠装置により陳列ケースの開放を阻止するので、陳列ケース内のディスクなどの商品の収納ケースの取り出しによる盗難を防止し、また、レンタルに際しショップ側での錠装置の解錠と共に施錠部品をショップに回収するため、陳列ケースを貸し出しケースとして用いても施錠されずディスクの出し入れを妨げることもないと共に、ショップ側に陳列ケースが残らないために、ショップ側での手間のかかる陳列ケースの保管や整理が不要になる。
【００２７】
また、陳列ケースの箱体に嵌め込んだ収納ケースの箱体を移動止め手段によりすべり移動しないようにしてあるので、陳列ケース及び収納ケースの蓋体を単独或いは同時に開放しても、陳列ケースの箱体内から収納ケースの箱体が陳列ケースの蓋体方向にすべり移動しない。
【００２８】
このため、陳列ケースの蓋体の閉鎖に際し何らさしつかえがないと共に、蓋体のスムーズな閉鎖ができると共に、陳列ケースの閉鎖状況下には、陳列ケースの箱体と蓋体との周壁の存在しない部分を連結壁により閉鎖するので、陳列ケース内の収納ケースの抜き取りを防止する効果がある。
【００２９】
さらに、移動止め手段や係止手段によって陳列ケースの箱体に対する収納ケースの脱出を防止するので、収納ケースの蓋体の開放がスムーズにできる。
【００３０】
また、ショップ側に回収する施錠部品にタグを設けてあるので、ショップからの持ち出し時に手間のかかるシールドが不要になる。
【００３１】
さらに、切欠部に嵌め込んだ指先を押し当て或いは引っかけて、この状態を維持しながら開放することで、陳列ケースのみ、陳列ケースと収納ケースの同時開放ができる。
【００３２】
また、ショップの棚に陳列ケースを並べたとき、陳列ケースの上辺に錠装置が位置するので、ショップの既存の棚の前縁から前方に陳列ケースの前方に向く辺縁のはみ出しがない。すなわち、はみ出しは、陳列ケースの前後に位置する辺の一方にヒンジを、他方に錠装置を配置したことによる。
【００３３】
このため、陳列ケースの区分間に介在した仕切シート（板）の区分見出しが陳列ケースにより隠蔽されることがないと共に、既存の棚板の改修の必要がない。
【００３４】
さらに、陳列ケースの蓋体の開放状況下に欠除部により収納ケースの蓋体の側縁に指先を引っかけることができるので、陳列ケースの箱体に収納ケースの箱体の嵌装状態を維持しながら収納ケースの蓋体の開放操作をスムーズに行なうことができ、又滑落防止手段により陳列ケースの箱体に対する収納ケースの箱体の抜け落ちを防止するので、収納ケースに収納してある商品の例えばディスクの損傷をなくする効果がある。
【発明を実施するための最良の形態】
【００３５】
以下、この発明の実施の形態を添付図面に基づいて説明する。
【００３６】
この発明の第１の実施形態では、図１から図６に示すように、底壁３１と、この底壁３１の各辺縁から底壁３１の裏面側に突出する周壁３２とで構成した箱体３３と、この箱体３３の開口を開閉するように箱体３３の一辺に適宜のヒンジ３４を介して設けた蓋体３５とで陳列ケースＫを形成する。
【００３７】
上記の蓋体３５は、図示の場合蓋壁３６と、この蓋壁３６の一辺を除く辺縁から蓋壁３６の裏面方向に突出する周壁３７とで構成し、上記のヒンジ３４は、図示の場合周壁３２の一辺開放縁と蓋壁３６の周壁３７の存在しない辺壁とに櫛歯状に設けて噛み合い状の嵌め込みにともない直列状に並ぶ筒部と、この筒部に挿入したピンとで形成したが、ピンヒンジに限定されず、図６に示すように、底壁３１にハーフカットのヒンジ３８を介し連結壁３９を連成し、この連結壁３９にハーフカットのヒンジ４０を介し蓋体３５の蓋壁３６を連成し、箱体３３の開口を蓋体３５により閉鎖したとき周壁３２に連結壁３９を外接するようにしたが、限定されず、例えば、周壁３２の一辺開放縁にハーフカットのヒンジを介し蓋体３５の蓋壁３６を連成したもの（図示省略）であってもよい。
【００３８】
勿論、蓋体３５の周壁３７も、ヒンジ３４、４０側の辺を除く三辺（図１に示す）に限定されず、ヒンジ４０に対向する辺のみ（図６に示す両側にないもの）であってもよい。
【００３９】
なお、陳列ケースＫの成形合成樹脂が半透明や不透明な場合、透視できなくなる（陳列ケースＫに収納した収納ケースＡが）ので、蓋壁３６のみ或いは蓋壁３６と底壁３１の両方に適宜形状の貫窓４１を設けて透視できるようにしておくとよい。
【００４０】
また、陳列ケースＫの所要の辺には、ショップ側以外による解錠ができないと共に、ショップ側の解錠にともない施錠部品４２をショップに回収することができる錠装置Ｂが設けてある。
【００４１】
上記の錠装置Ｂとしては、例えば図１から図６に示すように、箱体３３と蓋体３５の一辺に閉鎖状況下に交互に嵌り込んで（嵌み合い状に）直列状に並ぶ筒状体４３を設けて、この直列状に並ぶ筒状体４３に施錠部品４２としてのスライダ４４を挿入すると、スライダ４４が閂としての役目により箱体３３に対し蓋体３５の開放が阻止され、図５に示すようにスライダ４４と筒状体４３との対向面に設けてある一方の係止部４５と他方の係止爪４６との係合関係によってショップ側以外によるスライダ４４の抜き取りを阻止（係合関係は、図示の場合スライダ４４の挿入終了にともない押し戻しの解除された係止爪４６が係止部４５に引っかかるようにしたが、手動で係合関係にすることもできる）し、ショップ側による係合関係の解除と、旋錠部品４２としてスライダ４４のショップ側への回収は、例えば、鉄片の係止爪４６を磁石により磁吸して、係止爪４６と係止部４５の係合を解除し、そしてスライダ４４を引き抜く。
【００４２】
なお、図示のように、スライダ４４の端末から図示上方に突出する突起４７を片端の筒状体４３の端縁に設けてある切欠き４８に嵌入させて、スライダ４４の挿入ストッパとする以外に、磁石の解除具（図示省略）に突起４７を当接し、しかるのち、陳列ケースＫ或いは解除具をスライドさせる（このとき、陳列ケースＫを保持して、解除具をスライドさせるか、又は解除具を保持して陳列ケースＫをスライドさせる）と、突起４７の引っかかりによってスライダ４４が引き抜かれる。
【００４３】
勿論、解除具は、磁石方式に限定されず、ショップ側の解錠具の突起や突軸を押し込んで係止爪を押し戻しながら、係止爪と係合部との係合関係を解除する方式や、例えば特願２０００−３４５９２３号の図１２の方式を採用することもできる。
【００４４】
上記以外の錠装置Ｂとしては、例えば、箱体３３と蓋体３５との両周壁３２、３７の片方に筒状体を設け、もう片方にＬ形のフック片を設けると共に、筒状体の貫窓から筒状体内に陳列ケースＫの閉鎖にともない嵌入するフック片を設け、そして旋錠部品としてのスライダを挿入して、スライダにフック片が引っかかって陳列ケースＫの閉鎖維持をはかる。
【００４５】
勿論、スライダと筒状体やフック片との対向面に上述と同様の係合関係になる係止部と係止爪を設けておく。
【００４６】
なお、他の錠装置Ｂの構造としては、特願平１０−３４９２９号の構成や、特願平１１−２１２５８９号の構成や、特願２０００−１９０２９１号の構成など適宜選択して用いることもある。そして解錠方式も構成に見合うものを使用する。
【００４７】
要するに、陳列ケースＫにディスクａの収納ケースＡを入れて陳列ケースＫを閉鎖したのち、ショップ側で錠装置Ｂを施錠し、貸し出しにともないショップ側の解錠にともなう施錠部品４２をショップ側に回収するものであればよい。
【００４８】
その結果、転用した貸し出し陳列ケースＫには、施錠部品４２が存在しないために取り扱い時に施錠されることがない。
【００４９】
陳列ケースＫに入れる（収納する）収納ケースＡは、図２に示すように、ディスクａを収納した箱体５１と、この箱体５１の両側壁端にピン５２を介し両側壁５３、５３の端を回動自在に取付けた蓋体５４とで構成されている。
【００５０】
そして、陳列ケースＫの箱体３３に収納ケースＡの箱体５１を、蓋体３５に蓋体５４を嵌め込む。
【００５１】
その際、陳列ケースＫのヒンジ３４、３８、４０とヒンジのピン５２とが並列状で、近傍位置になるようにする。
【００５２】
すると、陳列ケースＫの蓋体３５を開放し、次いで収納ケースＡの蓋体５４を開放する。
【００５３】
上記の開放は、蓋体３５、５４を同時に開放（後述する）することもできる。
【００５４】
この発明の第２の実施形態では、図１、３及び８に示すように、陳列ケースＫの箱体３３には、箱体３３内の箱体５１のヒンジのピン５２側が脱出するのを移動防止手段５６により阻止するようになっている。
【００５５】
すると、蓋体５４の開放にともない箱体３３から箱体５１の脱出がなく、蓋体５４のスムーズな開放が可能になる。
【００５６】
上記の移動防止手段５６は、図示の場合、周壁３２の上縁から連なって底壁３１に対向するように押え片を突出させて設けたが、別部品を取付けて設けることもある。
【００５７】
要するに、箱体５１のヒンジのピン５２側を押え込んで脱出を防止する。
【００５８】
勿論、移動防止手段５６を有する周壁３２は、図示の底壁３１の辺縁全長から突出する以外に、必要な部分のみ、例えば移動防止手段５６を有する部分のみ（移動防止手段５６の押え片を設けるため）であってもよい。
【００５９】
そして、上記の移動防止手段５６は、箱体５１のヒンジのピン５２側の辺Ｐを抱き込む（押え込む）ので、蓋体５４の両側壁５３のピン５２側端を蓋体３５の辺縁に突出させて、この突出端を箱体５１の側壁にピン５２を介し取付けて、移動防止手段５６による抱き込みが箱体５１のみで、蓋体５４を抱き込まないようにしてある。
【００６０】
図中５７は移動防止手段５６の片を形成するために蓋壁３６にできた窓である。
【００６１】
この発明の第３の実施形態では、ショップ側に回収する施錠部品４２には、盗難防止タグＣが設けてある。
【００６２】
上記のタグＣは、周知（例えば特願平１１−３３８３５３号）のように、固有のＩＤコードをもち、ショップの出入口の通過の際、出入り口に設置の高周波電磁界の発生により共振回路が共振して固有のＩＤコードの発信にともない高周波電磁界を変調させるもので、店外の持ち出しを検出する。
【００６３】
すると、錠装置Ｂの施錠状況下でショップでの棚に陳列してある品物の持ち出しを阻止し、陳列ケースＫの貸し出し転用時における施錠部品４２のショップへの回収によって、陳列ケースＫのわずらわしいシールド作業や物品（袋など）が不要になる。
【００６４】
図中５９は、箱体３３のヒンジ３４、３８側周壁３２の内面に設けた間隙形成用の突部で、この突部５９によって周壁３２と箱体５１との間に間隙ができて、開閉する蓋体５４の側壁５３のピン５２側端縁と周壁３２との突っ張りを回避して蓋体５４のスムーズな開閉を保障する。
【００６５】
この発明の第４の実施形態では、図１２に示すように、第１の実施形態の陳列ケースＫに収納する収納ケースＡ′を、箱体５１と、この箱体５１の周壁一辺にハーフカットのヒンジ６１を介し開閉自在に設けた蓋体５４とで構成されている。
【００６６】
上記のハーフカットのヒンジ６１は、図１４に示すように、箱体５１と蓋体５４との周壁一辺の連結壁６２の下縁にハーフカットのヒンジ６１を介し箱体５１の底壁６３を、連結壁６２の上縁にハーフカットのヒンジ６１を介し蓋体５４の蓋壁６４を連成して形成（例えば合成樹脂の成形により）したが、連結壁６２の上縁側のハーフカットヒンジ６１のみであってもよい。
【００６７】
上記収納ケースＡ′を収納する陳列ケースＫの構成、錠装置Ｂ（施錠部品４２に設けたタグＣを有する）の構成は、第１の実施形態と同様につき、また施錠、解錠の操作及び効果も同様につき説明を省略する。
【００６８】
すると、収納ケースＡ′を開放した際、収納ケースＡ′の蓋体５４は、ハーフカットのヒンジ６１のため、蓋体５４が起立位置から開放続行方向に倒れることがない。
【００６９】
このため、蓋体５４を引き起こし、次いで閉鎖方向に押し倒す面倒な手間がなくなる。
【００７０】
さらに、陳列ケースＫの箱体３３と、箱体３３に嵌め込んである箱体５１には、箱体３３から箱体５１の脱出を止める係止手段Ｓが設けてある。
【００７１】
上記の係止手段Ｓは、図１３、１４に示すように収納ケースＡ′の周囲一面の凹入部７１と陳列ケースＫの周壁３２の内面から突出する突片７２を、箱体３３に箱体５１を嵌め込む際に嵌入して係止関係にし、蓋体５４の開放時に箱体３３から箱体５１が脱出しないようになっている。
【００７２】
また、上記以外に、図１５、１６、１７に示すように、箱体５１の周壁の孔７３に箱体３３周壁の突起７４を嵌め込んで係止することもできる。
【００７３】
その際、孔７３と突起７４を、図１６の箱体３３の対向周壁の片方のみ、或いは図１７に示すように対向周壁の両方に設けることもある。
【００７４】
要するに、蓋体５４の開放時に箱体３３から箱体５１の脱出を阻止することにある。
【００７５】
すると、蓋体５４の開放にともない箱体３３から箱体５１の脱出がなく、蓋体５４の開放をスムーズに行なうことができる。
【００７６】
そして、第４の実施形態の収納ケースＡ′を収納する陳列ケースＫの内面（ハーフカットのヒンジ６１側）にも突部５９を設けておく。
【００７７】
この発明の第５の実施形態では、第１の実施形態の収納ケースＡを収納した陳列ケースＫ及び第４の実施形態の収納ケースＡ′を収納した陳列ケースＫの周囲所要位置（ヒンジ３４に対向する辺や、ヒンジ３４の両側辺）には、嵌め込む指先を押し付け、或いは引っかけて陳列ケースＫのみ、或いは陳列ケースＫと収納ケースＡ、Ａ′の両方を開放する切欠部７５が設けてある。
【００７８】
上記の切欠部７５は、周壁３２、３７のみや周壁３２、３７から底壁３１の一部を、周壁３２から蓋壁３６の一部を切り欠いて設ける。
【００７９】
すると、図１８に示すように切欠部７５の縁に指先を引っかけ、或いは収納ケースＡ′、Ａの箱体５１や蓋体５４の辺縁や周壁に指の掌面を押し付けながら開放する。
【００８０】
なお、商品は、ディスクａにかえて、例えばビデオテープなど、盗難を防止するその他のレンタル商品（収納ケースＡ、Ａ′に収納するもの）であってもよい。
【００８１】
この発明の第６の実施形態では、図１９から図２１に示すように、底壁３１と、この底壁３１の一辺縁以外の辺縁から連なって底壁３１の裏面方向に突出する周壁３２とで構成した箱体３３と、蓋壁３６と、この蓋壁３６の一辺縁以外の辺縁から連なって蓋壁３６の裏面方向に突出する周壁３７（この周壁３７は、箱体３３の周壁３２の外側に被さるようになっている。）とで構成した蓋体３５と、底壁３１と蓋壁３６の周壁３２、３７の存在しない辺縁にヒンジ９１、９２を介し接続した連結壁９３とで陳列ケースＫを形成する。
【００８２】
上記のヒンジ９１、９２は、図示の場合、箱体３３及び蓋体３５の各部と連結壁９３とを合成樹脂により一体成型し、底壁３１と連結壁９３との境と、蓋壁３６と連結壁９３との境にハーフカットのヒンジを並列状に設けたが、箱体３３、蓋体３５及び連結壁９３を別々に形成して、ピンヒンジによって連結することもある。
【００８３】
そして、連結壁９３も底壁３１、蓋壁３６の辺縁全長と同長になっているが、限定されず、辺縁の一部など（単数又は複数）設けることもできる。
【００８４】
また、陳列ケースＫには、ショップ側以外による解錠ができないと共に、ショップ側による解錠にともない施錠部品４２を回収（ショップ側に）することができる錠装置Ｂが設けてある。
【００８５】
上記の錠装置Ｂ及び施錠部品４２の構成、施錠、解錠の操作及び作用効果は、第１の実施形態と同様につき説明を省略する。
【００８６】
そして、施錠部品４２には、第３の実施形態と同様にタグＣを設けて、店外への施錠状態の陳列ケースＫの持ち出しを検出するようにしてある。
【００８７】
上記のタグＣは、第３の実施形態と同様につき説明を省略する。
【００８８】
収納ケースＡ′は、商品としてのディスクａを収納する（例えばビデオテープも可）箱体５１と、この箱体５１の開口を開閉するように箱体５１の一辺にヒンジ６１（図示のハーフカットに限定されずピンヒンジも可）を介し開閉自在に設けた蓋体５４とで構成されている。
【００８９】
なお、ヒンジ６１及び収納ケースＡ′は、図示の場合第４の実施形態と同様につき詳細な説明を省略する。
【００９０】
そして、陳列ケースＫの箱体３３に収納ケースＡ′の箱体５１を、蓋体３５に蓋体５４を嵌め込む。
【００９１】
その際、陳列ケースＫのヒンジ９１、９２に収納ケースＡ′のヒンジ６１が並列し、かつ近傍位置になるように、陳列ケースＫに収納ケースＡ′を嵌入する。
【００９２】
また、陳列ケースＫの箱体３３に対し収納ケースＡ′の箱体５１が連結壁９３の方向に移動止め手段９５によりスライドしないようにしてある。
【００９３】
上記の移動止め手段９５は、図示の場合、両箱体３３、５１の平行する両側面の一方に穴や孔９６を、他方に孔９６に嵌入する突起（軸）９７を設けて、孔９６に突起９７を嵌め込んで、この嵌め込みによる係合関係によつて、収納ケースＡ′のスライドを止めるようにしたが、その他の方式によって目的を達成するようにすることもある。
【００９４】
すると、陳列ケースＫの蓋体３５を開放し、また収納ケースＡ′の蓋体５４を開放した際の、箱体３３内での箱体５１のスライドを移動止め手段９５により止められているので、箱体３３の連結壁９３を有する開放辺からの箱体５１の移動によるはみ出しがない。
【００９５】
従って、陳列ケースＫの蓋体３５の閉鎖に際し、収納ケースＡ′の箱体５１と蓋体３５との衝突などによる邪魔することなく、蓋体３５のスムーズな閉鎖ができる。
【００９６】
なお、図示のように陳列ケースＫの周囲所要位置に嵌め込む指先を押し付け、或いは引っかける切欠部７５を設けておく。
【００９７】
すると、第５の実施形態と同様の効果が発揮できる。
【００９８】
上記の切欠部７５は、第５の実施形態と同様につき説明を省略する。
【００９９】
また、連結壁９３によって陳列ケースＫ内の収納ケースＡ′の引き抜きを阻止する。
【０１００】
なお、底壁３１、蓋壁３６に貫窓４１を設けることもある。
【０１０１】
この発明の第７の実施形態では、図２２から図２９に示すように、側面に出し入れ用の開口１１１を有する箱体１１２と、この箱体１１２の周囲下辺側にヒンジ１１３を介し開口１１１を開閉するように設けた蓋体１１４と、この蓋体１１４及び箱体１１２の周囲上辺側にショップ以外による解錠ができないと共に、解錠にともなう施錠部品４２をショップに回収するように設けた錠装置Ｂとで陳列ケースＫ′を形成する。
【０１０２】
箱体１１２（箱体３３も同様）としては、図示の場合、側壁１１５と、この側壁１１５の辺縁から連なって側壁１１５の裏面方向に突出する周壁１１６とで構成したが、上記構成に限定されず、例えば側壁１１５の所要辺縁のみや、辺縁の所定部分、例えばコーナーや中間などから突出させてもよい。
【０１０３】
蓋体１１４（蓋体３５も同様）は、開口１１１を閉鎖する側壁１１７の錠装置Ｂ側の辺縁のみ或いは各辺縁から連なって側壁１１７の裏面方向に突出する周壁１１８を設けて構成する以外に、周壁１１８を所要辺縁のみや、辺縁の所定部分、例えば、コーナー部分や中間などから突出させてもよい。
【０１０４】
更に、上記のヒンジ１１３は、図示の場合陳列時下辺になる周壁１１６に側壁１１７の辺縁をピンヒンジを介し取付けてあるが、限定されず、ハーフカットのヒンジであってもよい。
【０１０５】
そしてハーフカットのヒンジも、例えば周壁１１６と側壁１１７の連成部分の一条や、両端を切り離した周壁１１６と側壁１１５、１１７の連成部分の二条などであってもよい。
【０１０６】
上記の錠装置Ｂとしては、例えば図２２から２５に示す場合、挿入口１２３から挿入した施錠部品４２としての挿入部材１２４をガイド手段１２５により案内すると共に、挿入部材１２４と陳列ケースＫ′との掛合手段１２６の掛合関係によって陳列ケースＫ′の閉鎖状態の維持をはかり、又挿入部材１２４の挿入にともない復元力に抗して押し戻される係止爪１２７と、挿入部材１２４の挿入終了にともない係止爪１２７が係合関係（挿入部材１２４の顧客による抜き取りを阻止する）になるようにガイド手段１２５内に設けた係合部１２８とで構成し、上記の掛合手段１２６も、図に示す場合、周知のように両側壁１１５、１１７の上縁から連なって周壁１１６、１１８の上側に位置する並列７字状の係合溝１２９、１２９を設けて、この両係合溝１２９、１２９に挿入する挿入部材１２４の両側板１３０、１３０を掛合状態に嵌入して、この嵌入によって箱体１１２と蓋体１１４との閉鎖状態維持をはかるようにしたが、限定されず、例えば第１、第４及び第６の実施形態の錠装置Ｂの構造を採用してもよい。
【０１０７】
そして、上述の並列係合溝１２９、１２９と周壁１１６、１１８とで囲まれた空隙を一端に挿入口１２３を有するガイド手段１２５としたが、両周壁１１６、１１８の突き合わせ縁から内側に並列係合溝１２９、１２９を、両周壁１１６、１１８の内側で、かつ両周壁１１６、１１８の内側で平行するように両側壁１１５、１１７の内面に突出壁（いずれも図示省略）を設けて、その空隙を一端に挿入口を有するガイド手段とすることもできる。
【０１０８】
なお、係止爪１２７は、合成樹脂により施錠部品４２としての挿入部材１２４を成形する際、両側板１３０をＨ形に連結する連結板１３１にコ字状のスリット１３２を入れて、このスリット１３２の内側を係合部１２８（図示の凹入部に限定されず、突起であってもよい）の方向に突出させて設けたが、挿入部材１２４と一体成形の係止爪１２７と解除具の磁石によって係合部１２８に対する係合関係を解除する磁吸鉄片の係止爪１２７を組み合わせたが、限定されない。
【０１０９】
要するに、第１の実施形態と同様に施錠部品４２によって陳列ケースＫ′の開放（陳列時の）を阻止し、ショップ側に解錠操作により施錠部品４２（挿入部材１２４）を回収することにある。
【０１１０】
すると、陳列ケースＫ′を貸し出しケースとして転用することが可能（この可能は、貸し出し時に施錠部品４２が存在しないので、貸し出し中に陳列ケースＫ′が施錠されないため）になり、又ショップに陳列ケースＫ′が残らない。
【０１１１】
また、上記の陳列ケースＫ′内には、商品のディスクａを収納した（メーカーから出荷された）収納ケースＡが嵌め込んである。
【０１１２】
上記収納ケースＡの構成は、第１の実施形態と同様につき説明を省略する。
【０１１３】
上記収納ケースＡの嵌め込みは、陳列ケースＫ′の箱体１１２に収納ケースＡの箱体５１を嵌め込むもので、嵌め込み時に、陳列ケースＫ′のヒンジ１１３と収納ケースＡのピン５２ヒンジとが直角位置になるようにする。
【０１１４】
その際、第２実施形態と同様の箱体１１２に設けてある移動防止手段５６によって箱体５１のヒンジのピン５２側辺を押え込んで、箱体１１２に対する箱体５１のヒンジのピン５２側の脱出を防止すると、蓋体５４の開放がスムーズになる。
【０１１５】
なお、移動防止手段５６による押え込み（抱き込み）は、第２実施形態と同様に、蓋体５４の開放を阻害しないように箱体５１側のみとする。
【０１１６】
そして、蓋体１１４の側壁１１５に蓋体１１４の閉鎖時移動防止手段５６の片が嵌り込む窓５７を設けて、蓋体１１４の閉鎖に支障をきたさないようにする。
【０１１７】
すると、図３１に示すように、ショップの既存の棚Ｔに錠装置Ｂを上方に位置させて陳列ケースＫ′を並べて陳列しても、棚Ｔの前面と陳列ケースＫ′の前方に向く垂直な辺とが面一になって（この面一になることは、錠装置Ｂが前方や後方に向かないことに起因する）、例えば陳列ケースＫ′の区分間に介在した仕切シート板Ｐの区分見出しが陳列ケースＫ′により隠蔽されることがないと共に、既存の棚の改修などが不要になる。
【０１１８】
その結果、図３２に示すように、従来の陳列のショップの棚Ｔに錠装置が前方に向くよう陳列ケースを並べて陳列したとき、棚Ｔの前縁から前方に突出する錠装置により仕切シート板Ｐの区分見出しが隠蔽される問題がない。
【０１１９】
前述の錠装置Ｂとしての図２３、２４の方式のショップ側による解錠は、図３０に示すように、解除具１４１の突軸１４２を係合溝１２９の突き合わせ面を挟んで表裏面が貫通する貫通孔１４３に嵌入する。
【０１２０】
すると、突軸１４２に当接する係止爪１２７を押し戻して、係止爪１２７と係合部１２８との係合関係を解除する。
【０１２１】
一方、併設してある磁吸係止爪１２７は、解除具１４１の磁石１４４によって磁吸されて、係合部１２８に対する係止爪１２７の係合関係を解除する。
【０１２２】
この状況下に挿入部材１２４の片１４５に指先を引っかけて、挿入部材１２４を抜き取る。
【０１２３】
抜き取った施錠部品４２の挿入部材１２４をショップ側に回収する。
【０１２４】
また、施錠部品４２には、店外への持ち出しを検出する盗難防止タグＣが設けてある。
【０１２５】
上記の盗難防止タグＣの構成及び作用効果は、第３の実施形態と同様につき説明を省略する。
【０１２６】
この発明の第８の実施形態では、図２２、２３、２４、２８に示すように陳列ケースＫ′の周壁１１６の所要位置には、箱体１１２に納まる収納ケースＡの蓋体５４の開放に際し、蓋体５４の辺縁に引っかける或いは蓋体５４の辺縁をつかむ指先の嵌り込む欠除部１５１が設けてある。
【０１２７】
上記の欠除部１５１は、周壁１１６のヒンジ１１３側及び錠装置Ｂ側の両方で、開口１１１の縁から内方に向けて形成し、片手の親指と人差し指或いは中指などで蓋体５４の二辺の縁をつかむようにする以外に、ヒンジ１１３及び錠装置Ｂのいずれか片側の周壁１１６のみや、移動防止手段５６に対向する側の周壁１１６のみに設けることもできる。
【０１２８】
そして、図示のように蓋体１１４の閉鎖時周壁１１８に設けてある突出片１５２を欠除部１５１に嵌り込むようにしておくと、体裁がよく、また陳列ケースＫ′の周囲面から陳列ケースＫ′内の収納ケースＡが見えない。
【０１２９】
また、もう片方の手の親指と人差し指或いは中指で陳列ケースＫ′のヒンジ１１３側と錠装置Ｂ側の両周壁１１６をつかんだ際、つかみによる内方への押圧力で周壁１１６が収納ケースＡの対向二辺に押し付けられ、この押し付けにより蓋体５４のスムーズな開放を阻害するとき、上記対向面間に間隙Ｇを設けることにより、スムーズな開放を保障することができる。
【０１３０】
上記の間隙Ｇを形成する手段としては、例えば箱体１１２の周壁１１６の内側に蓋体１１４の周壁１１８が嵌入するようにし、蓋体１１４の開放にともない周壁１１６の内側から周壁１１８が脱出して、周壁１１６と収納ケースＡとの間に間隙Ｇができる形式や、側壁１１５の内面周壁１１６側に突出部１５３を設けて、この突出部１５３によって周壁１１６が収納ケースＡの周面に圧接されるようにしてある。
【０１３１】
この発明の第９の実施形態では、陳列ケースＫ′に開放状況下に箱体１１２から収納ケースＡの滑落を阻止する滑落防止手段１６１が設けてある。
【０１３２】
上記の滑落防止手段１６１としては、図２６に示すように、箱体１１２の周壁１１６を利用する場合と、突出部１５３を利用する場合と、図２９に示すように周壁１１６の突出長さを短かくして、この突出長さの短かい周壁１１６に蓋体１１４の側壁１１７に連なる突出長さの短かい周壁１１８をヒンジ１１３を介し連結することにより、蓋体１１４の開放時突出長さの短かい周壁１１６によって収納ケースＡの周面一部を受架して滑落をなくすることができる。
【０１３３】
また、図３３に示すように、側壁１１５の内面から突片１７１を突出させて、この突片１７１に収納ケースＡを当接させて、収納ケースＡの滑落を防止する。
【０１３４】
図中１６３は側壁１１５、１１７に設けた貫窓である。
【図面の簡単な説明】
【０１３５】
【図１】この発明の実施形態を示す陳列ケースの斜視図
【図２】収納ケースの斜視図
【図３】陳列ケースに収納ケースを嵌め込んだ斜視図
【図４】錠装置の部分を示す斜視図
【図５】同上の一部切欠側面図
【図６】陳列ケースの他の例を示す斜視図
【図７】嵌め込んだ陳列ケースと収納ケースとの一部切欠正面図
【図８】同上の開放状態を示す一部切欠正面図
【図９】ヒンジの部分を示す縦断拡大正面図
【図１０】同上の開放状態を示す縦断拡大正面図
【図１１】同上の収納ケースの開放を示す一部切欠正面図
【図１２】他の収納ケースの組み合わせを示す斜視図
【図１３】同上の一部切欠平面図
【図１４】同一部切欠正面図
【図１５】同上の要部を示す一部切欠平面図
【図１６】脱出防止の係止手段を示す一部切欠正面図
【図１７】他の係止手段を示す位置部切欠正面図
【図１８】開放の操作状態を示す一部切欠正面図
【図１９】第６の実施形態を示す分解斜視図
【図２０】陳列ケースに収納ケースを組み込んだ状態の一部切欠平面図
【図２１】同上の一部切欠側面図
【図２２】第７の実施形態の陳列ケースを開放した斜視図
【図２３】陳列ケースと施錠部品の斜視図
【図２４】施錠状態の縦断側面図
【図２５】同上の縦断正面図
【図２６】陳列ケースの縦断正面図
【図２７】蓋体の開放を示す縦断正面図
【図２８】陳列ケースを開放した斜視図
【図２９】陳列ケースの異なるヒンジの位置を示す縦断正面図
【図３０】解錠を示す一部切欠側面図
【図３１】陳列の状態を示す縦断側面図
【図３２】従来の陳列対比を示す縦断側面図
【図３３】滑落防止手段を示す斜視図
【図３４】従来品の分解斜視図
【図３５】同上の組み合わせを示す斜視図
【図３６】陳列ケースの開放阻止部分を示す斜視図
【図３７】同上の一部切欠平面図
【図３８】同一部切欠正面図
【符号の説明】
【０１３６】
Ｋ、Ｋ′          陳列ケース
Ａ、Ａ′          収納ケース
ａ                ディスク
Ｂ                錠装置
Ｃ                タグ
Ｇ                間隙
Ｐ                仕切シート板
Ｓ                係止手段
Ｔ                棚
３１              底壁
３２              周壁
３３              箱体
３４、３８、４０  ヒンジ 
３５              蓋体
３６              蓋壁
３７              周壁
３９              連結壁
４１              貫窓
４２              施錠部品
４３              筒状体
４４              スライダ
４５              係止部
４６              係止爪
４７              突起
４８              切欠き
５１              箱体
５２              ピン
５３              側壁
５４              蓋体
５６              移動防止手段
５７              窓
６１              ヒンジ
６２              連結壁
７１              凹入部
７２              突片
７３              孔
７４              突起
７５              切欠部
９１、９２        ヒンジ
９３              連結壁
９５              移動止め手段
９６              孔
９７              突起
１１１            開口
１１２            箱体
１１３            ヒンジ
１１４            蓋体
１１５            側壁
１１６            周壁
１１７            側壁
１１８            周壁
１２３            挿入口
１２４            挿入部材
１２５            ガイド手段
１２６            掛合手段
１２７            係止爪
１２８            係合部
１２９            係合溝
１３０            側板
１３１            連結板
１３２            スリット
１４１            解除具
１４４            磁石
１５１            欠除部
１５２            突出片
１５３            突出部
１６１            滑落防止手段
【手続補正３】
【補正対象書類名】図面
【補正対象項目名】図３３
【補正方法】変更
【補正の内容】
【図３３】
2006052011.tif 000047